(57)【要約】      （修正有）【課題】部品を簡易化し且つ組立を容易として製造コストを下げ製品の競争力を高める。内蔵式引出しスライドレールの自動クローズ装置の提供。【解決手段】内スライドレール１、中スライドレール２、外スライドレール３、内スライドレール１と中スライドレール２の間に挟まれた第１スライド内ブシュ１０及び中スライドレール２と外スライドレール３の間に設けられた第２スライド内ブシュ２０を具えている。内スライドレール１はその側壁１１がキャビネットの引出しを収容する空間の内側壁４の所定位置に取付られ、外スライドレール３の上方は引出し５の下方と結合され、引出し５は外向きに引き出され、内向きに押し込まれる。外スライドレール３が引出し５と共に後ろに移動する時、それに設けられた連動ブロック３１の連動棒が３１１自動クローズスライドフック６を駆動し、自動クローズスライドフック６が外スライドレール３と連帯してバネの力により自動的に後方に回復する。【選択図】図１０
0003105927.tif 000002
【実用新案登録請求の範囲】
【請求項１】
少なくとも内スライドレール、中スライドレール、外スライドレール、内スライドレールと中スライドレールの間に挟まれた第１スライド内ブシュ及び中スライドレールと外スライドレールの間に設けられた第２スライド内ブシュで構成され、該内スライドレールはその側壁がキャビネットの引出し収容空間の内側壁の所定位置に固定され、外スライドレールの上方が引出しの下方に固定され、引出しを外向きに引き出し内向きの収納するのに供される引出しスライドレールに運用される自動クローズ装置であり、該自動クローズ装置が、連動ブロック、自動クローズスライドフック、自動クローズシートを具え、
該連動ブロックは外スライドレールに固定され、その連動棒が外スライドレールの側壁の所定の高さに位置し、
該自動クローズスライドフックは、バネの一側に固定され、
該自動クローズシートは、内スライドレールの底端面の所定の部分に固定され、
外スライドレールが引出しと共に後ろに移動する時、それに設けられた連動ブロックの連動棒が自動クローズスライドフックを駆動し、自動クローズスライドフックが外スライドレールにより協動されバネの力により自動的に後方に回復し、自動クローズ機能を達成する内蔵式引出しスライドレールの自動クローズ装置において、
該自動クローズスライドフックは、一側の前後に前案内柱と後ろ案内柱を具えて自動クローズシートの滑り溝の一側の隣り合う壁面に設けられた滑り溝内に枢設され、該自動クローズスライドフックが自動クローズシートの滑り溝内を往復してスライドし、且つその前側に前向き下方に傾斜する案内斜面が設けられ、中間近くの部分に位置決め凹溝が設けられ、別にその後側の底部に下向きに位置決めフックが延伸されてバネの一側との接続に供され、さらにバネにより自動クローズシートと接続され、
該自動クローズシートは、引出しの前後往復方向と同じ方向の滑り溝を具え、該滑り溝内の一側の隣り合う壁面に同一方向の滑り溝が設けられ、該滑り溝の後側にストッパ面が設けられ、前側に下向きに折り曲げられた下位置決め滑り溝が延伸形成され、またこの隣り合う壁面の滑り溝の後側の隣り合う側壁にフックが設けられてバネの別側が係止、位置決めされ、更に、該隣り合う壁面の滑り溝の後側近くの上方部分にストッパ面が設けられて、自動クローズスライドフックの後端面の上方の当接に供されることを特徴とする、内蔵式引出しスライドレールの自動クローズ装置。
【請求項２】
請求項１記載の内蔵式引出しスライドレールの自動クローズ装置において、自動クローズシートの滑り溝の下方が下に開放状を呈し、その後側上方に適宜面積の封閉部が設けられてバネの位置決め機能が高められて使用時の離脱を防止することを特徴とする、内蔵式引出しスライドレールの自動クローズ装置。
【請求項３】
請求項１記載の内蔵式引出しスライドレールの自動クローズ装置において、自動クローズシートの滑り溝の前側の下向きに折り曲げられ延伸された下位置決め滑り溝の下端が自動クローズシートの底端面に連通して下向きの開放状態を呈し、組立取付時に前案内柱と後ろ案内柱を具えた自動クローズスライドフックの取付に便利とされたことを特徴とする、内蔵式引出しスライドレールの自動クローズ装置。
【考案の詳細な説明】
【技術分野】
【０００１】
本考案は一種の内蔵式引出しスライドレールの自動クローズ装置に係り、自動クローズ動作が確実で且つ主要な構成部品が少なく組立人力と作業時間を減らすことができ、且つバネ容易には離脱或いは変形せず自動クローズスライドフックの取付が容易である内蔵式引出しスライドレールの自動クローズ装置に関する。
【背景技術】
【０００２】
周知の引出しスライドレール８（図１、２参照）の自動クローズ装置は、クローズシート８１、連動ブロック８２と可動ブロック８３で構成され、その部品は比較的多く、製造コストが高いだけでなく組立、取付にも時間がかかる。このほか、組立加工作業の錯誤や使用者が引出しを整理する時に不注意から可動ブロック８３に接触してそれが不正常な位置（図１参照）となると、引出しの内スライドレール８４のフック８４１が完全に定位まで押し戻されなくなり、使用者にトラブルをもたらした。
【０００３】
別の周知の引出し９は図３に示されるようであり、その自動クローズ装置は自動クローズシート９１、バネ９２、連動ブロック９３及び内スライドレール９４の当接ブロック９４１で構成され、バネ９２は逆Ｕ形に設置され、これによりある期間使用すると、バネ９２が変形或いは弾性疲労を発生しやすく、且つバネ９２は直接露出し離脱の状況を発生しやすい。
【考案の開示】
【考案が解決しようとする課題】
【０００４】
前述の周知の引出しのスライドレールの自動クローズ装置の多くの欠点を鑑み、本考案はそれを改善した内蔵式引出しスライドレールの自動クローズ装置を提供するものである。
【０００５】
即ち、本考案の主要な目的は、一種の内蔵式引出しスライドレールの自動クローズ装置を提供することにあり、それは、その自動クローズスライドフックが前案内柱、後ろ案内柱により自動クローズシートの滑り溝にあって順調にスライドし、且つ後ろ案内柱が滑り溝の前側の下向きに折り曲げられた下位置決め滑り溝の上方に至る時、順調に下向きに該下位置決め滑り溝中に落下し、自動クローズスライドフックの後側が起き上がり、自動クローズスライドフックの位置決め凹溝もまた回転してある角度傾斜し、外スライドレールがもとの位置に戻る時に連動棒が該自動クローズスライドフックに挿入されてそれを駆動し、その前案内柱に下位置決め滑り溝を離脱させ、バネの弾力により自動クローズスライドフックが外スライドレールと引出しを駆動し、自動クローズ機能を達成するものとする。
【０００６】
本考案の次の目的は、一種の内蔵式引出しスライドレールの自動クローズ装置を提供することにあり、それは自動クローズシート、バネ、自動クローズスライドフックと外スライドレールに設けられた連動ブロック等が自動クローズ機能を達成し、部品を簡易化し且つ組立を容易として製造コストを下げ並びに製品の競争力を高める長所を達成するものとする。
【０００７】
本考案の別の目的は、一種の内蔵式引出しスライドレールの自動クローズ装置を提供することにあり、その自動クローズシートは内スライドレールの底端面に固定され、その上方後側にも比較的大きな面積の封閉部が設けられ、これにより滑り溝内の後側と自動クローズスライドフックの間に設けられたバネが使用時に良好な位置決め効果を具え、バネの脱落を防止できるものとする。
【０００８】
本考案のまた別の目的は、一種の内蔵式引出しスライドレールの自動クローズ装置を提供することにあり、その自動クローズシートの滑り溝の前側の下向きに延伸された下位置決め滑り溝の下端が下向きの開放状態を呈し、これにより自動クローズスライドフックの自動クローズシートへの取付に便利であるものとする。
【０００９】
本考案のさらにまた別の目的は、一種の内蔵式引出しスライドレールの自動クローズ装置を提供することにあり、それはバネが直線方向に往復して引き伸ばされて折り曲げ形態で引き伸ばされず、これによりある期間使用しても変形や脱落を発生しにくいものとする。
【課題を解決するための手段】
【００１０】
請求項１の考案は、少なくとも内スライドレール、中スライドレール、外スライドレール、内スライドレールと中スライドレールの間に挟まれた第１スライド内ブシュ及び中スライドレールと外スライドレールの間に設けられた第２スライド内ブシュで構成され、該内スライドレールはその側壁がキャビネットの引出し収容空間の内側壁の所定位置に固定され、外スライドレールの上方が引出しの下方に固定され、引出しを外向きに引き出し内向きの収納するのに供される引出しスライドレールに運用される自動クローズ装置であり、該自動クローズ装置が、連動ブロック、自動クローズスライドフック、自動クローズシートを具え、
該連動ブロックは外スライドレールに固定され、その連動棒が外スライドレールの側壁の所定の高さに位置し、
該自動クローズスライドフックは、バネの一側に固定され、
該自動クローズシートは、内スライドレールの底端面の所定の部分に固定され、
外スライドレールが引出しと共に後ろに移動する時、それに設けられた連動ブロックの連動棒が自動クローズスライドフックを駆動し、自動クローズスライドフックが外スライドレールにより協動されバネの力により自動的に後方に回復し、自動クローズ機能を達成する内蔵式引出しスライドレールの自動クローズ装置において、
該自動クローズスライドフックは、一側の前後に前案内柱と後ろ案内柱を具えて自動クローズシートの滑り溝の一側の隣り合う壁面に設けられた滑り溝内に枢設され、該自動クローズスライドフックが自動クローズシートの滑り溝内を往復してスライドし、且つその前側に前向き下方に傾斜する案内斜面が設けられ、中間近くの部分に位置決め凹溝が設けられ、別にその後側の底部に下向きに位置決めフックが延伸されてバネの一側との接続に供され、さらにバネにより自動クローズシートと接続され、
該自動クローズシートは、引出しの前後往復方向と同じ方向の滑り溝を具え、該滑り溝内の一側の隣り合う壁面に同一方向の滑り溝が設けられ、該滑り溝の後側にストッパ面が設けられ、前側に下向きに折り曲げられた下位置決め滑り溝が延伸形成され、またこの隣り合う壁面の滑り溝の後側の隣り合う側壁にフックが設けられてバネの別側が係止、位置決めされ、更に、該隣り合う壁面の滑り溝の後側近くの上方部分にストッパ面が設けられて、自動クローズスライドフックの後端面の上方の当接に供されることを特徴とする、内蔵式引出しスライドレールの自動クローズ装置としている。
請求項２の考案は、請求項１記載の内蔵式引出しスライドレールの自動クローズ装置において、自動クローズシートの滑り溝の下方が下に開放状を呈し、その後側上方に適宜面積の封閉部が設けられてバネの位置決め機能が高められて使用時の離脱を防止することを特徴とする、内蔵式引出しスライドレールの自動クローズ装置としている。
請求項３の考案は、請求項１記載の内蔵式引出しスライドレールの自動クローズ装置において、自動クローズシートの滑り溝の前側の下向きに折り曲げられ延伸された下位置決め滑り溝の下端が自動クローズシートの底端面に連通して下向きの開放状態を呈し、組立取付時に前案内柱と後ろ案内柱を具えた自動クローズスライドフックの取付に便利とされたことを特徴とする、内蔵式引出しスライドレールの自動クローズ装置としている。
【考案の効果】
【００１１】
本考案の内蔵式引出しスライドレールの自動クローズ装置は、自動クローズ動作が確実で且つ主要な構成部品が少なく組立人力と作業時間を減らすことができ、且つバネ容易には離脱或いは変形せずせず自動クローズスライドフックの取付が容易である。
【考案を実施するための最良の形態】
【００１２】
図３から図１０に示されるように、本考案の内蔵式引出しスライドレールの自動クローズ装置によると、引出しスライドレールは少なくとも内スライドレール１、中スライドレール２、外スライドレール３、内スライドレール１と中スライドレール２の間に挟まれた第１スライド内ブシュ１０（図７参照）及び中スライドレール２と外スライドレール３の間に設けられた第２スライド内ブシュ２０を具えている。前述の内スライドレール１はその側壁１１がキャビネットの引出しを収容する空間の内側壁４（図４）の所定位置（図示せず）に取付られ、外スライドレール３の上方は引出し５の下方と結合され、引出し５は外向きに引き出され、内向きに押し込まれる。
【００１３】
該自動クローズ装置は、連動ブロック３１、自動クローズスライドフック６、自動クローズシート７を具えている。
【００１４】
該連動ブロック３１は外スライドレール３に固定され、その連動棒３１１が外スライドレール３の側壁３２の所定の高さに位置する。
【００１５】
該自動クローズスライドフック６は、バネ６０の一側６０１に固定される。
【００１６】
該自動クローズシート７は、内スライドレール１の底端面１３の所定の部分に固定される。
【００１７】
上述の部品で組成され、外スライドレール３が引出し５と共に後ろに移動する時、それに設けられた連動ブロック３１の連動棒が３１１自動クローズスライドフック６を駆動し、自動クローズスライドフック６が外スライドレール３と連帯してバネ６０の力により自動的に後方に回復し、自動クローズの効果を達成する。
【００１８】
本考案の特徴は以下のとおりである。
該自動クローズスライドフック６は、一側の前後に前案内柱６１と後ろ案内柱６２を具えて自動クローズシート７の滑り溝７０の一側の隣接壁面に設けられた滑り溝７０１内に枢設され（図８、９参照）、該自動クローズスライドフック６が自動クローズシート７の滑り溝７０内を往復してスライドし、且つその前側に前向き下方に傾斜する案内斜面６３が設けられ、中間近くの部分に位置決め凹溝６４が設けられ、別にその後側の底部に下向きに位置決めフック６５が延伸されてバネ６０の一側６０１との接続に供され、さらにバネ６０により自動クローズシート７と接続されている。
【００１９】
該自動クローズシート７は、引出し５の前後往復方向と同じ方向の滑り溝７０を具え、該滑り溝７０内の一側の隣り合う壁面に同一方向の滑り溝７０１が設けられ、該滑り溝７０１の後側にストッパ面７０１１が設けられ、前側に下向きに折り曲げられた下位置決め滑り溝７０１２が延伸形成され、また該滑り溝７０１の後側の隣り合う側壁にフック７０１３が設けられてバネ６０の別側６０２が係止、位置決めされ、更に、該滑り溝７０１の後側近くの上方部分にストッパ面７０２が設けられて、自動クローズスライドフック６の後端面６６の上方の当接に供される。
【００２０】
前述の特徴により、閉じた状態の時、自動クローズスライドフック６の後ろ案内柱６２は自動クローズシート７の滑り溝７０１の後側のストッパ面７０１１にブロックされ（図８）、且つ該自動クローズスライドフック６の後端面６６上方が自動クローズシート７の滑り溝７０の後側のストッパ面７０２にブロックされ、外スライドレール３の連動ブロック３１の連動棒３１１は自動クローズスライドフック６の位置決め凹溝６４内に位置する。引出し５が外スライドレール３を伴い外向きに引き出される時、連動ブロック３１は自動クローズスライドフック６を駆動して自動クローズスライドフック６がその前案内柱６１と後ろ案内柱６２により自動クローズシート７の滑り溝７０１内で前方にスライドし、前案内柱６１が滑り溝７０１の前側に至ると、下向きに下位置決め滑り溝７０１２内に進入し、自動クローズスライドフック６の後側が起き上がり、前側の前案内柱６１が該下位置決め滑り溝７０１２に位置決めされ（図９）、並びに外スライドレール３の連動棒３１１が自動クローズスライドフック６の位置決め凹溝６４より離脱して続けて前向きにスライドする。反対に、引出し５が外スライドレール３を伴い後ろ向きにもとの位置に戻される時、連動棒３１１の前側が自動クローズスライドフック６の前側に接触し並びにその案内斜面６３に沿ってその位置決め凹溝６４に進入し、並びに後ろ向きに該位置決め凹溝６４の隣り合う後側壁面６４１に当接し、これにより自動クローズスライドフック６の前側が起き上がり、同時にその前側の前案内柱６１が下位置決め滑り溝７０１２に沿って上向きにスライドして該下位置決め滑り溝７０１２の位置決めより離脱し、並びにバネ６０の弾性回復力により滑り溝７０１の後側に向けてスライドし、その後ろ案内柱６２が滑り溝７０１の後側ストッパ面７０１１にブロックされ、こうして自動クローズ機能が達成される。
【００２１】
更に、前述の自動クローズシート７の滑り溝７０の下方は下向きの開放状態を呈し、その後側上方に適当な面積の封閉部７０３が設けられ、バネ６０の位置決め効果を増し、使用時の離脱を防止する。
【００２２】
更に、前述の自動クローズシート７の滑り溝７０１の前側の下向きに折り曲げられ延伸された下位置決め滑り溝７０１２の下端は自動クローズシート７の底端面７４に連通して下向きの開放状態を呈し、組合せ取付時に前述の前案内柱６１と後ろ案内柱６２の自動クローズスライドフック６の取付に便利である。
【００２３】
本考案は以下のような機能を具えている。
１．自動クローズシート７、バネ６０、自動クローズスライドフック６と外スライドレール３に設けられた連動ブロック３１等の部品だけで自動クローズ機能を達成し、部品が簡単で組立が容易で製造コストを下げることができ、製品の競争力を高めることができる。
２．自動クローズスライドフック６が前案内柱６１、後ろ案内柱６２により自動クローズシート７の滑り溝７０１にあって順調にスライドし、且つ後ろ案内柱６２が滑り溝７０１の前側の下向きに折り曲げられた下位置決め滑り溝７０１２の上方に至る時、順調に下向きに該下位置決め滑り溝７０１２中に進入し、自動クローズスライドフック６の後側が起き上がり、自動クローズスライドフック６の位置決め凹溝６４もまた回転してある角度傾斜し、外スライドレール３がもとの位置に戻る時に連動棒３１１が該自動クローズスライドフック６に挿入されてその前側を上向きに起こして前案内柱６１に下位置決め滑り溝７０１２を離脱させ、バネ６０の弾力により自動クローズスライドフック６が外スライドレール３と引出し５を駆動し、自動クローズ機能を達成する。
３．自動クローズシート７は内スライドレール１の底端面１３に固定され、その上方後側に比較的大きな面積の封閉部７０３が設けられ、これにより滑り溝７０内の後側と自動クローズスライドフック６の間に設けられたバネ６０が使用時に良好な位置決め効果を具え、バネの脱落を防止できるものとする。
４．自動クローズシートの滑り溝の前側の下向きに延伸された下位置決め滑り溝の下端が下向きの開放状態を呈し、これにより自動クローズスライドフックの自動クローズシートへの取付に便利である。
５．バネ６０が直線方向に往復して非折り曲げ形態で引き伸ばされ、ある時間の後に変形或いは脱落を発生しにくい。
【図面の簡単な説明】
【００２４】
【図１】周知の引出しスライドレールの自動クローズシートの定位に押し戻し不能となった状態を示す立体図である。
【図２】周知の引出しスライドレールの自動クローズシートの定位に押し戻し不能となった状態を示す平面図である。
【図３】別の周知の引出しスライドレールの部分立体図である。
【図４】本考案の立体分解図である。
【図５】本考案の立体組合せ図である。
【図６】本考案の内蔵式引出しスライドレールの立体断面図である。
【図７】本考案の内蔵式引出しスライドレールの上方の平面拡大図である。
【図８】本考案の自動クローズスライドフックの後ろ案内柱が滑り溝のストッパ面にブロックされた状態の断面図である。
【図９】本考案の自動クローズスライドフックの前案内柱が下位置決め滑り溝に位置決めされた状態の断面図である。
【図１０】本考案の実施例がキャビネットと引出しに設けられた平面図である。
【符号の説明】
【００２５】
１  内スライドレール
１０  第１スライド内ブシュ
１１  側壁
１３  底端面
２  中スライドレール
２０  第２スライド内ブシュ
３  外スライドレール
３１  連動ブロック
３１１  連動棒
３２  側壁
４  内側壁
５  引出し
６  自動クローズスライドフック
６０  バネ
６０１  一側
６０２  別側
６１  前案内柱
６２  後ろ案内柱
６３  案内斜面
６４  位置決め凹溝
６５  位置決めフック
６６  後端面
７  自動クローズシート
７０  滑り溝
７０１  滑り溝
７０１１  ストッパ面
７０１２  下位置決め滑り溝
７０１３  フック
７０２  ストッパ面
７０３  封閉部
【図１】
0003105927.tif 000003
【図２】
0003105927.tif 000004
【図３】
0003105927.tif 000005
【図４】
0003105927.tif 000006
【図５】
0003105927.tif 000007
【図６】
0003105927.tif 000008
【図７】
0003105927.tif 000009
【図８】
0003105927.tif 000010
【図９】
0003105927.tif 000011
【図１０】
0003105927.tif 000012